【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
複数の有色トナーを用いて印刷される有色トナー用のデータ、及び光沢度調整用のクリアトナーを用いて印刷されるクリアトナー用のデータを重ねて印刷するクリアトナー印刷を印刷装置に指示する印刷制御装置であって、
前記クリアトナー印刷のテストプリントの指示を受け付ける受け付け手段と、
前記受け付け手段によりテストプリントの指示を受け付けた際に、前記有色トナー用のデータ内で指定されている色に対して識別可能な、それぞれ異なる第一の色及び第二の色を決定し、前記クリアトナー印刷で前記クリアトナー用のデータ内のクリアトナーが載る部分を前記第一の色で印刷するように指定し、前記クリアトナー印刷で前記クリアトナー用のデータ内のクリアトナーが載らない部分を前記第二の色で印刷するように指定する印刷指示を前記印刷装置に行う制御手段と、
を有することを特徴とする印刷制御装置。
【請求項２】
前記第二の色で印刷される前記クリアトナー印刷で前記クリアトナー用のデータ内のクリアトナーが載らない部分とは、前記印刷装置において予め設定された濃度閾値に基づき前記クリアトナー印刷においてクリアトナーを載せないよう処理される部分であることを特徴とする請求項１に記載の印刷制御装置。
【請求項３】
前記制御手段は、前記クリアトナーが載る部分が前記第一の色で印刷されることを示す情報、及び前記クリアトナーが載らない部分が前記第二の色で印刷されることを示す情報を含む付帯情報をともに印刷するように指示することを特徴とする請求項１又は２に記載の印刷制御装置。
【請求項４】
前記制御手段は、選択されている用紙の種別を判断し、光沢紙であれば明度の低い色を前記第一の色及び前記第二の色に決定し、光沢紙でなければ明度の高い色を前記第一の色及び前記第二の色に決定することを特徴とする請求項１乃至３のいずれか１項に記載の印刷制御装置。
【請求項５】
前記制御手段は、用紙の種別を普通紙に変更するように前記印刷装置に指示することを特徴とする請求項１乃至４のいずれか１項に記載の印刷制御装置。
【請求項６】
前記制御手段は、前記有色トナー用のデータと、前記クリアトナー印刷のテストプリントを指示する情報と、前記印刷装置に登録されているデータ群から使用するクリアトナー用のデータを指定する情報と、前記クリアトナーが載る部分を前記第一の色で印刷するように指定する情報と、前記クリアトナーが載らない部分を前記第二の色で印刷するように指定する情報を含む印刷ジョブを前記印刷装置に送信することを特徴とする請求項１乃至５のいずれか１項に記載の印刷制御装置。
【請求項７】
前記制御手段は、前記印刷装置に登録されているデータ群から使用するクリアトナー用のデータを取得し、該取得したクリアトナー用のデータ内の前記クリアトナーが載る部分を前記第一の色に変換し、前記クリアトナーが載らない部分を前記第二の色に変換し、該変換したクリアトナー用のデータと前記有色トナー用のデータとに基づき生成した印刷ジョブを前記印刷装置に送信することを特徴とする請求項１乃至５のいずれか１項に記載の印刷制御装置。
【請求項８】
前記制御手段は、アプリケーションからのデータに基づきクリアトナー用のデータを作成し、該作成したクリアトナー用のデータ内の前記クリアトナーが載る部分を前記第一の色に変換し、前記クリアトナーが載らない部分を前記第二の色に変換し、該変換したクリアトナー用のデータと前記有色トナー用のデータとに基づき生成した印刷ジョブを前記印刷装置に送信することを特徴とする請求項１乃至５のいずれか１項に記載の印刷制御装置。
【請求項９】
前記制御手段は、前記有色トナー用のデータに基づくクリアトナー用のデータを作成し、該作成したクリアトナー用のデータを前記印刷装置に登録することを特徴とする請求項１乃至８のいずれか１項に記載の印刷制御装置。
【請求項１０】
複数の有色トナーを用いて印刷される有色トナー用のデータ、及び光沢度調整用のクリアトナーを用いて印刷されるクリアトナー用のデータを重ねて印刷するクリアトナー印刷を印刷装置に指示する印刷制御装置であって、
前記クリアトナー印刷のプレビュー表示の指示を受け付ける受け付け手段と、
前記受け付け手段によりプレビュー表示の指示を受け付けた際に、前記有色トナー用のデータ内で指定されている色に対して識別可能な、それぞれ異なる第一の色及び第二の色を決定し、前記クリアトナー印刷で前記クリアトナー用のデータ内のクリアトナーが載る部分を前記第一の色で表示し、前記クリアトナー印刷で前記クリアトナー用のデータ内のクリアトナーが載らない部分を前記第二の色で表示するように表示制御する制御手段と、を有することを特徴とする印刷制御装置。
【請求項１１】
前記制御手段は、前記クリアトナーが載る部分が前記第一の色で印刷されることを示す情報、及び前記クリアトナーが載らない部分が前記第二の色で印刷されることを示す情報を含む付帯情報をともに表示するように制御することを特徴とする請求項１０に記載の印刷制御装置。
【請求項１２】
前記制御手段は、前記有色トナー用のデータと、前記クリアトナー印刷のプレビュー表示であること示す情報と、前記印刷装置に登録されているデータ群から使用するクリアトナー用のデータを指定する情報と、前記クリアトナーが載る部分を前記第一の色に指定する情報と、前記クリアトナーが載らない部分を前記第二の色に指定する情報を含むジョブを前記印刷装置に送信し、該送信したジョブに基づいて生成された前記クリアトナー用のデータと前記有色トナー用のデータとに基づき生成されたデータを前記印刷装置から取得してプレビュー表示することを特徴とする請求項１０又は１１に記載の印刷制御装置。
【請求項１３】
前記制御手段は、前記印刷装置に登録されているデータ群から使用するクリアトナー用のデータを取得し、該取得したクリアトナー用のデータ内の前記クリアトナーが載る部分を前記第一の色に変換し、前記クリアトナーが載らない部分を前記第二の色に変換し、該変換したクリアトナー用のデータと前記有色トナー用のデータとに基づき生成したデータをプレビュー表示することを特徴とする請求項１０又は１１に記載の印刷制御装置。
【請求項１４】
前記制御手段は、アプリケーションからのデータに基づきクリアトナー用のデータを作成し、該作成したクリアトナー用のデータ内の前記クリアトナーが載る部分を前記第一の色に変換し、前記クリアトナーが載らない部分を前記第二の色に変換し、該変換したクリアトナー用のデータと前記有色トナー用のデータとに基づき生成したデータをプレビュー表示することを特徴とする請求項１０又は１１に記載の印刷制御装置。
【請求項１５】
前記印刷装置は、予め設定された濃度閾値未満の部分にはクリアトナーを載せないものであり、
前記制御手段は、前記印刷装置から前記濃度閾値を取得し、該取得した濃度閾値に基づいて前記クリアトナーが載る部分、前記クリアトナーが載らない部分を判断することを特徴とする請求項７、８、１３、１４のいずれか１項に記載の印刷制御装置。
【請求項１６】
前記制御手段は、前記有色トナー用のデータ内で指定されていない色を前記第一の色及び前記第二の色に決定することを特徴とする請求項１乃至１５のいずれか１項に記載の印刷制御装置。
【請求項１７】
前記制御手段は、前記有色トナー用のデータのページ毎に前記第一の色及び前記第二の色を決定することを特徴とする請求項１乃至１６のいずれか１項に記載の印刷制御装置。
【請求項１８】
光沢度調整用のクリアトナーを用いた印刷のテストプリントのための印刷ジョブを受信する受信手段と、
前記受信手段により受信した印刷ジョブに基づく前記クリアトナーを用いた印刷を行った場合、前記クリアトナーの代わりに有色トナーを用い、クリアトナーが載る部分とクリアトナーが載らない部分を識別可能に印刷する印刷手段と、
を有することを特徴とする印刷装置。
【請求項１９】
前記クリアトナーを用いた印刷は、複数の有色トナーを用いて印刷される有色トナー用のデータ、及び前記クリアトナーを用いて印刷されるクリアトナー用のデータを重ねて印刷するクリアトナー印刷であることを特徴とする請求項１８に記載の印刷装置。
【請求項２０】
前記印刷手段は、前記クリアトナーが載る部分が印刷される色を示す情報、及び前記クリアトナーが載らない部分が印刷される色を示す情報を含む付帯情報をともに印刷することを特徴とする請求項１８又は１９に記載の印刷装置。
【請求項２１】
複数の有色トナーを用いて印刷される有色トナー用のデータ、及び光沢度調整用のクリアトナーを用いて印刷されるクリアトナー用のデータを重ねて印刷するクリアトナー印刷を印刷装置に指示する印刷制御装置の制御方法であって、
受け付け手段が、前記クリアトナー印刷のテストプリントの指示を受け付ける受け付けステップと、
制御手段が、前記受け付けステップによりテストプリントの指示を受け付けた際に、前記有色トナー用のデータ内で指定されている色に対して識別可能な、それぞれ異なる第一の色及び第二の色を決定し、前記クリアトナー印刷で前記クリアトナー用のデータ内のクリアトナーが載る部分を前記第一の色で印刷するように指定し、前記クリアトナー印刷で前記クリアトナー用のデータ内のクリアトナーが載らない部分を前記第二の色で印刷するように指定する印刷指示を前記印刷装置に行う制御ステップと、
を有することを特徴とする印刷制御装置の制御方法。
【請求項２２】
前記第二の色で印刷される前記クリアトナー印刷で前記クリアトナー用のデータ内のクリアトナーが載らない部分とは、前記印刷装置において予め設定された濃度閾値に基づき前記クリアトナー印刷においてクリアトナーを載せないよう処理される部分であることを特徴とする請求項２１に記載の印刷制御装置の制御方法。
【請求項２３】
前記制御ステップは、前記クリアトナーが載る部分が前記第一の色で印刷されることを示す情報、及び前記クリアトナーが載らない部分が前記第二の色で印刷されることを示す情報を含む付帯情報をともに印刷するように指示することを特徴とする請求項２１又は２２に記載の印刷制御装置の制御方法。
【請求項２４】
前記制御ステップは、選択されている用紙の種別を判断し、光沢紙であれば明度の低い色を前記第一の色及び前記第二の色に決定し、光沢紙でなければ明度の高い色を前記第一の色及び前記第二の色に決定することを特徴とする請求項２１乃至２３のいずれか１項に記載の印刷制御装置の制御方法。
【請求項２５】
前記制御ステップは、前記有色トナー用のデータと、前記クリアトナー印刷のテストプリントを指示する情報と、前記印刷装置に登録されているデータ群から使用するクリアトナー用のデータを指定する情報と、前記クリアトナーが載る部分を前記第一の色で印刷するように指定する情報と、前記クリアトナーが載らない部分を前記第二の色で印刷するように指定する情報を含む印刷ジョブを前記印刷装置に送信することを特徴とする請求項２１乃至２４のいずれか１項に記載の印刷制御装置の制御方法。
【請求項２６】
前記制御ステップは、前記印刷装置に登録されているデータ群から使用するクリアトナー用のデータを取得し、該取得したクリアトナー用のデータ内の前記クリアトナーが載る部分を前記第一の色に変換し、前記クリアトナーが載らない部分を前記第二の色に変換し、該変換したクリアトナー用のデータと前記有色トナー用のデータとに基づき生成した印刷ジョブを前記印刷装置に送信することを特徴とする請求項２１乃至２４のいずれか１項に記載の印刷制御装置の制御方法。
【請求項２７】
前記制御ステップは、アプリケーションからのデータに基づきクリアトナー用のデータを作成し、該作成したクリアトナー用のデータ内の前記クリアトナーが載る部分を前記第一の色に変換し、前記クリアトナーが載らない部分を前記第二の色に変換し、該変換したクリアトナー用のデータと前記有色トナー用のデータとに基づき生成した印刷ジョブを前記印刷装置に送信することを特徴とする請求項２１乃至２４のいずれか１項に記載の印刷制御装置の制御方法。
【請求項２８】
前記制御ステップは、前記有色トナー用のデータに基づくクリアトナー用のデータを作成し、該作成したクリアトナー用のデータを前記印刷装置に登録することを特徴とする請求項２１乃至２７のいずれか１項に記載の印刷制御装置の制御方法。
【請求項２９】
複数の有色トナーを用いて印刷される有色トナー用のデータ、及び光沢度調整用のクリアトナーを用いて印刷されるクリアトナー用のデータを重ねて印刷するクリアトナー印刷を印刷装置に指示する印刷制御装置の制御方法であって、
受け付け手段が、前記クリアトナー印刷のプレビュー表示の指示を受け付ける受け付けステップと、
制御手段が、前記受け付けステップによりプレビュー表示の指示を受け付けた際に、前記有色トナー用のデータ内で指定されている色に対して識別可能な、それぞれ異なる第一の色及び第二の色を決定し、前記クリアトナー印刷で前記クリアトナー用のデータ内のクリアトナーが載る部分を前記第一の色で表示し、前記クリアトナー印刷で前記クリアトナー用のデータ内のクリアトナーが載らない部分を前記第二の色で表示するように表示制御する制御ステップと、
を有することを特徴とする印刷制御装置の制御方法。
【請求項３０】
受信手段が、光沢度調整用のクリアトナーを用いた印刷のテストプリントのための印刷ジョブを受信する受信ステップと、
印刷手段が、前記受信ステップにより受信した印刷ジョブに基づく前記クリアトナーを用いた印刷を行った場合、前記クリアトナーの代わりに有色トナーを用い、クリアトナーが載る部分とクリアトナーが載らない部分を識別可能に印刷する印刷ステップと、
を有することを特徴とする印刷装置の制御方法。
【請求項３１】
請求項２１乃至２８のいずれか１項に記載されたステップをコンピュータに実行させるためのプログラム。
【請求項３２】
請求項３０に記載された印刷装置の制御方法をコンピュータに実行させるためのプログラム。
【請求項３３】
複数の有色トナーを用いて印刷される有色トナー用のデータ、及び光沢度調整用のクリアトナーを用いて印刷されるクリアトナー用のデータを重ねて印刷するクリアトナー印刷を印刷装置に指示する印刷制御装置であって、
クリアトナーを用いる印刷に関する印刷装置の情報を、前記印刷装置から取得する取得手段と、
前記クリアトナー印刷のプレビュー表示の指示を受け付ける受け付け手段と、
前記受け付け手段によりプレビュー表示の指示を受け付けた際に、前記有色トナー用のデータの表示に対して識別可能な色を用いて、前記有色トナー用のデータと、前記クリアトナー印刷で前記クリアトナー用のデータ内のクリアトナーが載る部分とを表示するためのウィンドウを表示制御する制御手段と、を有し、
前記ウィンドウには、クリアトナーを用いる印刷の指示を行うためのボタンがあることを特徴とする印刷制御装置。
【請求項３４】
請求項３３に記載された手段としてコンピュータを機能させるためのプログラム。